(57)【要約】      （修正有）【課題】設置のための費用と手間が少ない簡易な構造の防護柵の出入口構造を提供する。【解決手段】防護柵の出入口の一方側の地中に差し込んで立設するパイプ状固定支柱１、前記出入口の他方側のみか或いは他方側とこの他方側と前記固定支柱との間に立設されかつ地中に埋め込んで固定する埋込式パイプ部２Ａとその上方から差し込んで立設する挿脱式パイプ部２Ｂとで構成した可動支柱２を設ける。又、それぞれ各支柱に固定されかつ幅方向に沿って間隔を空けて並設する複数本の縦線と高さ方向に沿って間隔を空けて並設する複数本の横線とで網目状に構成した金網部３Ａと、この金網部の両端側にそれぞれ突出するように前記横線の端部に一体的に形成されるリング部３Ｂとで構成した両側リング式の門扉３を備え、前記各支柱を前記門扉の両側リング部にそれぞれ挿し通すことにより門扉がこれらの支柱間に固定されて出入口を閉鎖し、かつ前記可動支柱の挿脱式パイプ部を埋込式パイプ部から抜くことにより前記門扉が固定支柱側を軸に片開きして出入口を開放する。【選択図】図１
0003165184.tif 000002
【実用新案登録請求の範囲】
【請求項１】
防護柵の出入口の一方側に約０．５ｍを地中に差し込んで立設する約１．５ｍのパイプ状固定支柱、前記出入口の他方側のみか或いは他方側とこの他方側と前記固定支柱との間に一本か数本立設されかつ地中に埋め込んで固定する約０．４ｍの埋込式パイプ部とこの埋込式パイプ部に上方から約０．２ｍを差し込んで立設する約１．２ｍの挿脱式パイプ部とで構成した可動支柱、及び前記各支柱間にそれぞれあってその両端側をそれぞれ各支柱に固定されかつ約１．１ｍの幅方向に沿って約８．５ｃｍの間隔を空けて並設する複数本の縦線と約１ｍの高さ方向に沿って約１５ｃｍの間隔を空けて並設する複数本の横線とで網目状に構成した金網部と、この金網部の両端側にそれぞれ突出するように前記横線の端部に一体的に形成されるリング部とで構成した両側リング式の門扉を備え、
前記各支柱を前記門扉の両側リング部にそれぞれ挿し通すことにより門扉がこれらの支柱間に固定されて出入口を閉鎖し、かつ前記可動支柱の挿脱式パイプ部を埋込式パイプ部から抜くことにより前記門扉が固定支柱側を軸に片開きして出入口を開放するようにしたことを特徴とする防護柵の出入口構造。
【請求項２】
各支柱の上方に約１ｍの継ぎ足し用支柱をそれぞれ差し込んで継ぎ足し、かつこの継ぎ足し用支柱の間にそれぞれ約０．９ｍの高さの両側リング式の門扉を取り付けることにより、門扉が上下二枚となる高さ約２ｍの構成としたことを特徴とする請求項１に記載の防護柵の出入口構造。
【請求項３】
防護柵の約２ｍの出入口両側にそれぞれ約０．５ｍを地中に差し込んで立設する約１．５ｍのパイプ状固定支柱、この二本の固定支柱の中間に立設されかつ地中に埋め込んで固定する約０．４ｍの埋込式パイプ部とこの埋込式パイプ部に上方から約０．２ｍを差し込んで立設する約１．２ｍの挿脱式パイプ部とで構成した可動支柱、及びこの可動支柱の両側にそれぞれあってその固定支柱側のみをそれぞれ固定支柱に固定されかつ約１．１ｍの幅方向に沿って約８．５ｃｍの間隔を空けて並設する複数本の縦線と約１ｍの高さ方向に沿って約１５ｃｍの間隔を空けて並設する複数本の横線とで網目状に構成した金網部と、この金網部の固定支柱側の片側にのみ突出するように前記横線の端部に一体的に形成されるリング部とで構成した片側リング式の門扉を備え、
前記各固定支柱を前記門扉の片側リング部にそれぞれ挿し通すことにより二枚の門扉が両側の固定支柱にそれぞれ固定されると共に前記可動支柱を挟んで突き合う二枚の門扉の解放側は両端フック状金具により可動支柱共々止められて出入口を閉鎖し、かつ前記両端フック状金具を外して前記可動支柱の挿脱式パイプ部を埋込式パイプ部から抜くことにより二枚の門扉が両側の固定支柱を軸にして回転して出入口を観音開きに開放するようにしたことを特徴とする防護柵の出入口構造。
【請求項４】
二本の固定支柱及び可動支柱の各上方に約１ｍの継ぎ足し用支柱をそれぞれ差し込んで継ぎ足し、かつこの三本の継ぎ足し用支柱のそれぞれの間に約０．９ｍの高さの片側リング式の門扉をそれぞれ取り付けると共にその中間を両端フック状金具で止めることにより、門扉が上下四枚となる幅約２ｍ、高さ約２ｍの構成としたことを特徴とする請求項３に記載の防護柵の出入口構造。
【考案の詳細な説明】
【技術分野】
【０００１】
本考案は、有害動物の侵入を防止するために、集落、農地などのあらゆる場所の恒久的な本柵から短期的な仮柵までの幅広い用途に使用される簡易な構造の防護柵の出入口構造に関するものである。
【背景技術】
【０００２】
有害動物、とりわけ猪などは防護柵の周囲を一晩中周り、隙間があれば容赦なく侵入する習性がある。従って、防護柵を設置した場合、人の出入りは勿論、トラクター、耕運機、軽トラ等の運搬機の出入りする門扉の付いた出入口の設置が必要となる。
【０００３】
かかる門扉には、人の出入りのみを目的とする簡易門扉と、運搬機の出入りも可能にする強化門扉の二種類がある。
現在、強化門扉はサイズも大きくなるので門扉を固定する支柱はセメント、バラス、砂等で基礎固めをしている。また、簡易門扉はサイズが約１ｍであるのでセメント打ちはしないが、門扉を支柱に固定するのに結合用の取付け金具が必要になる。
【０００４】
このように、防護柵の出入口において、強化門扉を設置する場合、支柱のセメントによる基礎固めに多額の費用と手間が掛かるし、簡易門扉を設置する場合、結合用の取付け金具で門扉を支柱に取り付ける必要があるのでその設置に手間が掛かるという問題がある。
【考案の概要】
【考案が解決しようとする課題】
【０００５】
本考案は、かかる従来技術の問題点に鑑み創案されたものであり、その目的は、設置のための費用と手間が少ない簡易な構造の防護柵の出入口構造を提供することにある。
【課題を解決するための手段】
【０００６】
請求項１の考案は、防護柵の出入口の一方側に約０．５ｍを地中に差し込んで立設する約１．５ｍのパイプ状固定支柱と、前記出入口の他方側のみか或いは他方側とこの他方側と前記固定支柱との間に一本か数本立設されかつ地中に埋め込んで固定する約０．４ｍの埋込式パイプ部とこの埋込式パイプ部に上方から約０．２ｍを差し込んで立設する約１．２ｍの挿脱式パイプ部とで構成した可動支柱と、前記各支柱間にそれぞれあってその両端側をそれぞれ各支柱に固定されかつ約１．１ｍの幅方向に沿って約８．５ｃｍの間隔を空けて並設する複数本の縦線と約１ｍの高さ方向に沿って約１５ｃｍの間隔を空けて並設する複数本の横線とで網目状に構成した金網部と、この金網部の両端側にそれぞれ突出するように前記横線の端部に一体的に形成されるリング部とで構成した両側リング式の門扉とを備え、かつ前記各支柱を前記門扉の両側リング部にそれぞれ挿し通すことにより門扉がこれらの支柱間に固定されて出入口を閉鎖し、かつ前記可動支柱の挿脱式パイプ部を埋込式パイプ部から抜くことにより前記門扉が固定支柱側を軸に片開きして出入口を開放するようにしたことを特徴とする。
【０００７】
請求項２の考案は、請求項１のものにおいて、各支柱の上方に約１ｍの継ぎ足し用支柱をそれぞれ差し込んで継ぎ足し、かつこの継ぎ足し用支柱の間にそれぞれ約０．９ｍの高さの両側リング式の門扉を取り付けることにより、門扉が上下二枚となる高さ約２ｍの構成としたことを特徴とする。
【０００８】
請求項３の考案は、防護柵の約２ｍの出入口両側にそれぞれ約０．５ｍを地中に差し込んで立設する約１．５ｍのパイプ状固定支柱と、この二本の固定支柱の中間に立設されかつ地中に埋め込んで固定する約０．４ｍの埋込式パイプ部とこの埋込式パイプ部に上方から約０．２ｍを差し込んで立設する約１．２ｍの挿脱式パイプ部とで構成した可動支柱と、この可動支柱の両側にそれぞれあってその固定支柱側のみをそれぞれ固定支柱に固定されかつ約１．１ｍの幅方向に沿って約８．５ｃｍの間隔を空けて並設する複数本の縦線と約１ｍの高さ方向に沿って約１５ｃｍの間隔を空けて並設する複数本の横線とで網目状に構成した金網部とこの金網部の固定支柱側の片側にのみ突出するように前記横線の端部に一体的に形成されるリング部とで構成した片側リング式の門扉とを備え、かつ前記各固定支柱を前記門扉の片側リング部にそれぞれ挿し通すことにより二枚の門扉が両側の固定支柱にそれぞれ固定されると共に前記可動支柱を挟んで突き合う二枚の門扉の解放側は両端フック状金具により可動支柱共々止められて出入口を閉鎖し、かつ前記両端フック状金具を外して前記可動支柱の挿脱式パイプ部を埋込式パイプ部から抜くことにより二枚の門扉が両側の固定支柱を軸にして回転して出入口を観音開きに開放するようにしたことを特徴とする。
【０００９】
請求項４の考案は、請求項３のものにおいて、その二本の固定支柱及び可動支柱の各上方に約１ｍの継ぎ足し用支柱をそれぞれ差し込んで継ぎ足し、かつこの三本の継ぎ足し用支柱のそれぞれの間に約０．９ｍの高さの片側リング式の門扉をそれぞれ取り付けると共にその中間を両端フック状金具で止めることにより、門扉が上下四枚となる幅約２ｍ、高さ約２ｍの構成としたことを特徴とする。
【００１０】
なお、本考案において、使用される「約」の表現は、形容される数値の±３５％までの変動を包含することを意味する。
【考案の効果】
【００１１】
請求項１の考案は、従来の強化門扉の設置に必要である支柱のセメント等による基礎固めが不要になるし、また簡易門扉の設置に必要である結合用の取付け金具が不要になって設置に費用が掛からず簡単に設置ができると共に、可動支柱の数と門扉の数を同じにしてその数を出入口の広さによって選べばその全幅を従来の簡易門扉の幅から強化門扉の幅までの全ての幅に対応できるようになるという効果がある。
【００１２】
請求項２の考案は、請求項１のものにおいて、各支柱の上方に継ぎ足し用支柱をそれぞれ継ぎ足すと共にこの各継ぎ足し用支柱の間にも両側リング式の門扉を取り付けると門扉が上下二枚となって高さが約２ｍの防護柵の出入口にも対応できるようになって、鹿用の防護柵への使用も可能になるというさらなる効果がある。
【００１３】
請求項３の考案は、従来の強化門扉の設置に必要である支柱のセメント等による基礎固めが不要になるし、また簡易門扉の設置に必要である結合用の取付け金具が不要になって設置に費用が掛からず簡単に設置ができると共に、片側リング式の門扉を使うことにより門扉が簡単になるし、また両端フック状金具により中間を止めることにより両開き構成が強固に閉鎖されるという効果がある。
【００１４】
請求項４の考案は、請求項３のものにおいて、その二本の固定支柱及び可動支柱の各上方に継ぎ足し用支柱をそれぞれ差し込んで継ぎ足し、かつこの三本の継ぎ足し用支柱のそれぞれの間にも片側リング式の門扉をそれぞれ取り付けると門扉が上下四枚となって幅が約２ｍ、高さが約２ｍの防護柵の出入口にも対応できるようになって、鹿用の防護柵への使用も可能になると共に運搬機の出入りも可能になるというさらなる効果がある。
【図面の簡単な説明】
【００１５】
【図１】本考案の実施形態１を示す概略図である。
【図２】図１の可動支柱の上方部分を拡大して示す図である。
【図３】図１の可動支柱の下方部分を拡大して示す図である。
【図４】本考案の実施形態２を示す概略図である。
【図５】図４の中央にある可動支柱の下方部分を拡大して示す図である。
【図６】本考案の実施形態３を示す概略図である。
【図７】本考案の実施形態４を示す概略図である。
【図８】本考案の実施形態５を示す概略図である。
【図９】図８の左側継ぎ目の部分を拡大して示す図である。
【図１０】本考案の実施形態６を示す概略図である。
【図１１】本考案の実施形態７を示す概略図である。
【考案を実施するための形態】
【００１６】
本考案の防護柵の出入口構造は、約０．５ｍを地中に差し込んで立設する約１．５ｍの固定支柱と、地中に埋め込んで固定する約０．４ｍの埋込式パイプ部とこの埋込式パイプ部に上方から約０．２ｍを差し込んで立設する約１．２ｍの挿脱式パイプ部とからなる可動支柱とを使って、約１．１ｍの幅方向に沿って約８．５ｃｍの間隔を空けて並設する複数本の縦線と約１ｍの高さ方向に沿って約１５ｃｍの間隔を空けて並設する複数本の横線とで網目状に構成した金網部とこの金網部の両端側にそれぞれ突出するように前記横線の端部に一体的に形成されるリング部とで構成した門扉を出入口に設置することにより、実現されるものである。以下、本考案の防護柵の出入口構造を具体的に七つの実施形態によって説明する。
【００１７】
（実施形態１）
図１は請求項１の考案の一つ目の実施形態を示す概略図、図２は図１の可動支柱の上方部分を拡大して示す図、図３は図１の可動支柱の下方部分を拡大して示す図であり、各図においては約１ｍの出入口を有する高さ約１ｍの防護柵を省略している。
【００１８】
図において、１は出入口の一方側に立設した固定支柱で、約０．５ｍを地中に差し込んで立設される約１．５ｍのパイプ体からなると共にその下端は剣先加工が施されている。２は出入口の他方側に立設した可動支柱で、地中に埋め込んで固定する約０．４ｍの埋込式パイプ部２Ａと、この埋込式パイプ部２Ａに上方から約０．２ｍを差し込んで立設する約１．２ｍの挿脱式パイプ部２Ｂとで着脱可能な連結構造体に構成されている。
なお、固定支柱１と挿脱式パイプ部２Ｂはいずれも２５ｍｍ〜３２ｍｍ径の丸パイプを、また埋込式パイプ部２Ａは３２ｍｍ〜４０ｍｍ径の丸パイプをそれぞれ使用している。
【００１９】
３は両側リング式の門扉で、約１．１ｍの幅方向に沿って約８．５ｃｍの間隔を空けて並設する複数本の縦線３ａと約１ｍの高さ方向に沿って約１５ｃｍの間隔を空けて並設する複数本の横線３ｂとで網目状に構成した金網部３Ａと、この金網部３Ａの両端側にそれぞれ突出するように横線３ｂの端部に一体的に形成されるリング部３Ｂとで構成されている。
なお、縦線３ａ及び横線３ｂには５ｍｍ線材を使い、両者の接する部分は全て溶接することにより、両側リング式の門扉３の本体を溶接金網としている。また、横線３ｂの端部に一体的に形成するリング部３Ｂは、延長部分をリング状に加工した後で、その先端を縦線３ａに横線３ｂと共に一体的に溶接している。
【００２０】
４はストッパーＡで、挿脱式パイプ部２Ｂにあけたビス穴にボルトをはめてナット止めした構成になっている。このストッパーＡ４は、挿脱式パイプ部２Ｂを埋込式パイプ部２Ａに差し込んだ状態での差し込み長さを約０．２ｍに決める働きをすると共に、挿脱式パイプ部２Ｂを埋込式パイプ部２Ａから抜き上げて門扉３を開くときにこれが門扉３のリング部３Ｂに当たって挿脱式パイプ部２Ｂの門扉３からの抜けを防止する働きもする。
５はストッパーＢで、固定支柱１及び挿脱式パイプ部２Ｂにそれぞれあって前記ストッパーＡ４と同じ構造である。このストッパーＢ５は、リング部３Ｂに当たって門扉３の上方への移動を阻止して門扉３の抜け落ちを防止する働きをする。
【００２１】
防護柵の出入口において、固定支柱１を地中に差し込んで立設した後、この固定支柱１にリング部３Ｂを挿し通して両側リング式の門扉３の片側リング部３Ｂを固定支柱１に取り付ける。次に、この両側リング式の門扉３の解放側のリング部３Ｂにより可動支柱２の位置決めをして、その埋込式パイプ部２Ａを地中に差し込んで埋め込んだ後、先ほどの解放側のリング部３Ｂに挿し通した挿脱式パイプ部２Ｂをこの埋込式パイプ部２Ａに差し込んで立設する。後は各ストッパーＡ４、Ｂ５を挿着すると、防護柵の出入口が閉じた図１の状態になる。
【００２２】
出入口を開くときには、挿脱式パイプ部２Ｂを持ち上げて埋込式パイプ部２Ａから抜いた状態で挿脱式パイプ部２Ｂごと門扉３を開くとよい。このとき挿脱式パイプ部２Ｂはリング部３Ｂから抜けずに門扉３と一体となるし、固定支柱１を軸にしてリング部３Ｂがスムーズに回転して門扉３の片開き操作が容易に行える。
このように二本の支柱１、２を立設してその間にリング部３Ｂを用いて両側リング式の門扉３を取付けるので、従来必要であった止め金具が不要となり、構造簡単にして容易に設置できる。
【００２３】
（実施形態２）
図４は請求項１の考案の二つ目の実施形態を示す概略図、図５は図４の中央にある可動支柱の下方部分を拡大して示す図であり、各図中前記実施形態１のものと同一または相当部分には同一符号を付して説明を省略すると共に、各図においては約２ｍの出入口を有する高さ約１ｍの防護柵を省略している。
【００２４】
本実施形態では、約２ｍの出入口であるので、出入口の両側に固定支柱１と可動支柱２をそれぞれ立設し、その間に二本目の可動支柱２を立設している。そして、この二本目の可動支柱２を挟んだ両側にそれぞれの支柱１、２との間に両側リング式の門扉３を二枚取り付けている。
【００２５】
防護柵の出入口において、その一方側に固定支柱１を地中に差し込んで立設すると共に他方側に一本目の可動支柱２の埋込式パイプ部２Ａを地中に差し込んで埋め込んでおく。そして、この固定支柱１に一枚目の両側リング式の門扉３の一端側リング部３Ｂを挿し通して固定支柱１に一枚目の門扉３を取り付ける。次に、この一枚目の両側リング式の門扉３の他端側のリング部３Ｂに二枚目の両側リング式の門扉３の一端側リング部３Ｂを合わせて同時に二本目の可動支柱２の挿脱式パイプ部２Ｂを挿し通して立設するのであるが、その前に二本目の可動支柱２の埋込式パイプ部２Ａを地中に差し込んで予め埋め込んでおき、この埋め込んでおいた埋込式パイプ部２Ａに前記二枚目の門扉３のリング部３Ｂに挿し通した二本目の可動支柱２の挿脱式パイプ部２Ｂを差し込んで立設する。最後に、二枚目の門扉３の解放側のリング部３Ｂに挿し通した一本目の可動支柱２の挿脱式パイプ部２Ｂを予め埋め込んである埋込式パイプ部２Ａに差し込んで立設する。後は各ストッパーＡ４、Ｂ５を挿着すると、防護柵の出入口が閉じた図４の状態になる。
【００２６】
出入口を開くときには、一本目の可動支柱２の挿脱式パイプ部２Ｂを持ち上げて埋込式パイプ部２Ａから抜いた状態で二枚目の門扉３を二本目の可動支柱２を軸にして回転して二つ折りした後、二本目の可動支柱２の挿脱式パイプ部２Ｂを持ち上げて埋込式パイプ部２Ａから抜いた状態で一枚目の門扉３を固定支柱１を軸にして回転して二つ折り状態のまま片開きできる。よって、開いた約２ｍの出入口によって運搬機の出入りも可能になる。
このとき、各挿脱式パイプ部２Ｂはリング部３Ｂから抜けずに両側リング式の門扉３と一体となるので門扉３を回転し易いし、その回動も各支柱１、２を軸にして門扉３が二つ折り状態でスムーズに回転するので、二連式の二枚の門扉３の片開き操作が容易に行える。
【００２７】
（実施形態３）
図６は請求項１の考案の三つ目の実施形態を示す概略図であり、図中前記実施形態１及び２のものと同一または相当部分には同一符号を付して説明を省略する。なお、図６は外形を概略的に示すもので、その基本構造は図４と同じである。
【００２８】
本実施形態のものは、実施形態２のものにおいて三本目の可動支柱２を追加すると共に三枚目の両側リング式の門扉３も追加してなるもので、三枚の両側リング式の門扉３を三つ折りして片開きするものである。よって、本実施形態においても同様に約３ｍの出入口を有する防護柵を省略している。なお、本実施形態の構成及び作用は前記実施形態２のものと基本的に同じであるのでその説明を省略する。
【００２９】
かかる実施形態３では、可動支柱２を３本、両側リング式の門扉３を３枚として約３ｍの出入口に対応しているが、可動支柱２及び両側リング式の門扉３を共に４個ずつとして約４ｍの出入口に、また可動支柱２及び両側リング式の門扉３を共に５個ずつとして約５ｍの出入口に、さらに可動支柱２及び両側リング式の門扉３を共に６個ずつとして約６ｍの出入口にそれぞれ対応することも、容易に可能であるし、その構成及び作用は本実施形態のものと基本的に同じであるのでその説明を省略する。
【００３０】
（実施形態４）
図７は請求項１の考案の四つ目の実施形態を示す概略図であり、前記実施形態１〜３のものと同一または相当部分には同一符号を付して説明を省略する。
図において、６は防護柵で、金網部分６Ａと出入口を構成する門柱６Ｂとを有している。７は両端側にフック部７ａ、７ａを形成する両端フック状金具で、２５ｃｍ〜３０ｃｍの長さを有している。
【００３１】
図７においては、前記実施形態１〜３において出入口を閉鎖した状態（図１、図４、図６の状態）での一本目の可動支柱２（各図の左端のもの）を示すと共に、この一本目の可動支柱２に対応する防護柵６の門柱６Ｂも示している。
【００３２】
出入口の閉鎖した状態において、両端フック部７ａ、７ａを両側リング式の門扉３の金網部３Ａと防護柵６の金網部分６Ａとにそれぞれ掛け止めることにより両端フック状金具７を可動支柱２及び門柱６Ｂを跨いで取り付けられるので、片開きの門扉３が強固に防護柵６に固定される。なお、この両端フック状金具７は上下方向に複数個取り付けておくと良い。
【００３３】
（実施形態５）
図８は請求項２の考案の一実施形態を示す概略図、図９は図８の左側継ぎ目の部分を拡大して示す図であり、図中前記実施形態１のものと同一または相当部分には同一符号を付して説明を省略する。なお、図８は外形を概略的に示すもので、その基本構造は図１と同じであるので図示省略しているし、図９は図２に対応する図である。
【００３４】
本実施形態では、二本の支柱１、２の上方に約１．２ｍの継ぎ足し用支柱８をそれぞれ差し込んで継ぎ足し、かつこの継ぎ足し用支柱８の間にも同様に二段目の両側リング式の門扉３を取り付けている。
【００３５】
この継ぎ足し用支柱８は、２０ｍｍ径の丸パイプで、図９に示すように挿脱式パイプ部２Ｂの上方に差し込まれて立設される。その際、ストッパーＢ５が位置決めをし、約１ｍ継ぎ足したようになる。この上方に継ぎ足した約１ｍの部分に二段目の両側リング式の門扉３がそのリング部３Ｂにより取り付けられる。
なお、この二段目の両側リング式の門扉３は、高さが約０．９ｍで、金網部の線径も３．２ｍｍと一段目の両側リング式の門扉３に比べてひと回り小型で軽量化したものである。
【００３６】
出入口を開くときには、挿脱式パイプ部２Ｂを継ぎ足し用支柱８ごと持ち上げて上下二枚の両側リング式の門扉３をそのままの状態で開くとよい。
このように二本の支柱１、２の上方に継ぎ足し用支柱８、８を継ぎ足すと共にその間にも両側リング式の門扉３をそれぞれ取り付けると、門扉３が上下二枚となるので、幅が約１ｍで高さが約２ｍの防護柵の出入口に対応でき、鹿用の防護柵への使用も可能になる。
【００３７】
（実施形態６）
図１０は請求項３の考案の一実施形態を示す概略図であり、図中前記実施形態１及び４のものと同一または相当部分には同一符号を付して説明を省略する。図中防護柵を省略しているが、実際には約２ｍの出入口を有する高さ約１ｍの防護柵が設置されている。
【００３８】
本実施形態では、約２ｍの出入口であるので、出入口の両側にニ本の固定支柱１、１をそれぞれ立設し、このニ本の固定支柱１、１の間に可動支柱２を立設している。そして、可動支柱２を挟んだ両側にそれぞれの固定支柱１との間に門扉３を二枚取り付けるのであるが、ここでの門扉には、リング部３Ｂを片側にのみ有する片側リング式の門扉９を使用している。なお、この片側リング式の門扉９は両側リング式の門扉３のものと構造は同じであるので説明を省略する。そして、この中間の可動支柱２の部分を両端フック状金具７で止めている。
【００３９】
防護柵の出入口において、その両側にそれぞれ固定支柱１、１を地中に差し込んで立設した後、二枚の片側リング式の門扉９のリング部３Ｂをそれぞれ固定支柱１に挿し通して固定支柱１、１にそれぞれ片側リング式の門扉９、９を取り付ける。次に、各片側リング式の門扉９の解放側を突き合わせた間に可動支柱２の位置決めをして、その埋込式パイプ部２Ａを地中に差し込んで埋め込んで立設した後、両端フック状金具７を掛け止めると、二枚の片側リング式の門扉９が可動支柱２ごと固定されて防護柵の出入口が閉じた図１０の状態になる。
【００４０】
出入口を開くときには、両端フック状金具７を外してから挿脱式パイプ部２Ｂを上方に抜き取る。そうすると、二枚の片側リング式の門扉９はそれぞれの固定支柱１を軸にして回転するので、二枚の片側リング式の門扉９を観音開きに開くことができる。よって、約２ｍの出入口によって運搬機の出入りも可能になる。
【００４１】
（実施形態７）
図１１は請求項４の考案の一実施形態を示す概略図であり、図中前記実施形態５及び６のものと同一または相当部分には同一符号を付して説明を省略する。なお、図１１は外形を概略的に示すもので、その基本構造は図１０と同じであるので図示省略している。
【００４２】
本実施形態では、二本の支柱１、２及び可動支柱２の各上方に継ぎ足し用支柱８をそれぞれ差し込んで継ぎ足し、かつこの三本の継ぎ足し用支柱８のそれぞれの間にも同様に二段目の片側リング式の門扉９をそれぞれ取り付けている。この継ぎ足し構造は前記実施形態５と同じであるので説明を省略する。
【００４３】
出入口を開くときには、両端フック状金具７を外してから中央の継ぎ足し用支柱８を上方に抜き取った後、ストッパーＢ５を外し、挿脱式パイプ部２Ｂを上方に抜き取る。そうすると、上下二枚ずつの片側リング式の門扉９はそれぞれの固定支柱１、１及び継ぎ足し用支柱８、８を軸にして回転するので、上下二枚の片側リング式の門扉９、９を観音開きに開くことができる。よって、片側リング式の門扉９が上下四枚となるので、幅が約２ｍで高さが約２ｍの防護柵の出入口に対応でき、鹿用の防護柵への使用も可能になると共に運搬機の出入りも可能になる。
【００４４】
なお、上記実施形態では、継ぎ足し用支柱８を継ぎ足して支柱を２ｍとし、門扉９を上下四枚とする構成のものを示したが、支柱を２．５ｍのものとして門扉の高さも２ｍのものとすることにより、二枚の門扉とする構成のものにすることも可能である。図示省略するがこの場合も上記実施形態と同様に幅が約２ｍで高さが約２ｍの防護柵の出入口に対応できるようになる。
【産業上の利用可能性】
【００４５】
本考案は、有害動物の侵入を防止するために、集落、農地などのあらゆる場所の恒久的な本柵から短期的な仮柵までの幅広い用途に使用される防護柵の出入口構造に広く活用できる。
【符号の説明】
【００４６】
１  ：固定支柱
２  ：可動支柱
２Ａ：埋込式パイプ部
２Ｂ：挿脱式パイプ部
３  ：両側リング式の門扉
３Ａ：金網部
３ａ：金網部３Ａの縦線
３ｂ：金網部３Ａの横線
３Ｂ：リング部
４  ：ストッパーＡ
５  ：ストッパーＢ
６  ：防護柵
７  ：両端フック状金具
８  ：継ぎ足し用支柱
９  ：片側リング式の門扉
【図１】
0003165184.tif 000003
【図２】
0003165184.tif 000004
【図３】
0003165184.tif 000005
【図４】
0003165184.tif 000006
【図５】
0003165184.tif 000007
【図６】
0003165184.tif 000008
【図７】
0003165184.tif 000009
【図８】
0003165184.tif 000010
【図９】
0003165184.tif 000011
【図１０】
0003165184.tif 000012
【図１１】
0003165184.tif 000013